(57)【要約】ランプ、ホール呼出しのボタンスイッチとボタン灯、ゴングおよび階位置指示器のようなエレベータシステムホール備付け設備は、無線トランシーバを経てコントローラへ接続される。そのコントローラは、システムコントローラ、グループコントローラおよび／またはかごコントローラとすることができる。低出力無線システムは、１つのホール上で全ての備付け設備を接続し、また高出力無線システムは、それぞれのホールを該当するコントローラと接続する。
2005501788.tif 000002
【特許請求の範囲】
【請求項１】
それぞれの昇降路が建物内の複数の階へサービスを提供するために中で移動するエレベータかごを有する複数の昇降路を備える建物内のエレベータシステムであって、
対応する方向に前記昇降路に沿ってサービスを要求する少なくとも１つのサービス呼出し要求ボタンスイッチと、および前記サービス呼出し要求ボタンスイッチ毎のサービス呼出し要求ボタン灯と、を含む、各階における複数のホール備付け設備と、
各階における前記ホール備付け設備のそれぞれを、同一の階または隣接する階に近接して配置された高出力電磁式階トランシーバへ接続する接続手段と、
各階との間で電磁メッセージを交換するために、前記階トランシーバそれぞれと機能的に関連する高出力電磁式コントローラトランシーバを有するコントローラと、
を備え、
前記階トランシーバは、前記サービス呼出し要求ボタンの１つの作動を示すメッセージを前記コントローラトランシーバへ伝送し、前記コントローラトランシーバは、前記階トランシーバの選択されたものへメッセージを伝送して、サービス呼出し要求ボタン灯を、その階用の対応するサービス呼出し要求の登録に応答して点灯させ、かつ、サービスを提供するために関係する階に接近する前記エレベータかごの１つに応答して消灯させるエレベータシステム。
【請求項２】
各階にある備付け設備は、前記昇降路毎に、最上階を除き各階に上昇方向ホールランプ、および最下階を除き各階に下降方向ホールランプを有する１組の１つもしくは複数のホールランプを備え、
前記コントローラトランシーバは、選択された階のトランシーバへ宛てられたメッセージを伝送して、サービスを提供するために前記選択された階に接近する前記エレベータかごの１つに応答して前記ランプの対応する１つを点灯させ、かつ、選択された階のトランシーバへメッセージを伝送して、前記選択された階において停止される対応するエレベータかごのドアの閉止に応答して対応するランプを消灯する請求項１に記載のエレベータシステム。
【請求項３】
前記コントローラはグループコントローラである請求項２に記載のエレベータシステム。
【請求項４】
前記コントローラは、前記階トランシーバと通信するトランシーバを有するグループコントローラ部分と、それぞれのかごコントローラ部分が、前記備付け設備トランシーバの対応するものと通信するトランシーバを有する複数のかごコントローラ部分と、から構成される請求項３に記載のエレベータシステム。
【請求項５】
階毎に少なくとも１つのゴングをさらに備えるとともに、前記コントローラトランシーバは、前記階の選択された１つの前記階トランシーバへ宛てられたメッセージを伝送し、そのメッセージは、前記少なくとも１つのゴングに関連する選択された備付け設備トランシーバへ渡されて、前記ゴングを、サービスを提供するために前記選択された階に前記かごの１つが接近すると鳴らさせる請求項４に記載のエレベータシステム。
【請求項６】
階毎に少なくとも１つのゴングをさらに備えるとともに、前記コントローラトランシーバは、前記階の選択された１つの前記階トランシーバへ宛てられたメッセージを伝送し、そのメッセージは、前記少なくとも１つのゴングに関連する選択された備付け設備トランシーバへ渡されて、前記ゴングを、サービスを提供するために前記選択された階に前記かごの１つが接近すると鳴らさせる請求項２に記載のエレベータシステム。
【請求項７】
前記階毎に少なくとも１つの方向指示ランプをさらに備えるとともに、前記コントローラトランシーバは、前記階の選択された１つにおける階トランシーバへ宛てられたメッセージを伝送し、そのメッセージは、前記少なくとも１つの方向指示ランプに関連する選択された備付け設備トランシーバへ渡されて、前記ランプを、サービスを提供するために前記選択された階に接近する前記かごの１つの走行方向を指示させる請求項２に記載のエレベータシステム。
【請求項８】
前記ランプは、最上階を除き前記エレベータによりサービス提供される各階毎の「上昇」方向指示ランプと、最下階を除き各階毎の「下降」方向指示ランプとから構成される請求項７に記載のエレベータシステム。
【請求項９】
前記接続手段は、各ホール備付け設備に関連する低出力備付け設備トランシーバ、および前記階トランシーバに関連する低出力トランシーバを備える請求項１に記載のエレベータシステム。
【請求項１０】
前記コントローラトランシーバと前記階トランシーバとの間の前記電子メッセージは、スプレッドスペクトルフォーマットの形式である請求項９に記載のエレベータシステム。
【請求項１１】
各エレベータかご上に第１と第２のトランシーバをさらに備えるとともに、各階と前記コントローラとの間で電磁メッセージを交換するために、前記階トランシーバのそれぞれと機能的に関連する前記コントローラトランシーバは、各エレベータかご上の第１と第２のトランシーバを経て機能的に関連する請求項１に記載のエレベータシステム。
【請求項１２】
各階にある備付け設備は、前記昇降路毎に、最上階を除き各階に上昇方向ホールランプ、および最下階を除き各階に下降方向ホールランプを有する１組の１つもしくは複数のホールランプを備え、
前記コントローラトランシーバは、選択された階のトランシーバへ宛てられたメッセージを伝送して、サービスを提供するために前記選択された階に接近する前記エレベータかごの１つに応答して前記ランプの対応する１つを点灯させ、かつ、選択された階のトランシーバへメッセージを伝送して、前記選択された階において停止される対応するエレベータかごのドアの閉止に応答して対応するランプを消灯する請求項１１に記載のエレベータシステム。
【請求項１３】
前記コントローラはグループコントローラである請求項１２に記載のエレベータシステム。
【請求項１４】
前記コントローラは、前記階トランシーバと通信するトランシーバを有するグループコントローラ部分と、それぞれのかごコントローラ部分が、前記備付け設備トランシーバの対応するものと通信するトランシーバを有する複数のかごコントローラ部分と、から構成される請求項１３に記載のエレベータシステム。
【請求項１５】
階毎に少なくとも１つのゴングをさらに備えるとともに、前記コントローラトランシーバは、前記階の選択された１つの前記階トランシーバへ宛てられたメッセージを伝送し、そのメッセージは、前記少なくとも１つのゴングに関連する選択された備付け設備トランシーバへ渡されて、前記ゴングを、サービスを提供するために前記選択された階に前記かごの１つが接近すると鳴らさせる請求項１４に記載のエレベータシステム。
【請求項１６】
階毎に少なくとも１つのゴングをさらに備えるとともに、前記コントローラトランシーバは、前記階の選択された１つの前記階トランシーバへ宛てられたメッセージを伝送し、そのメッセージは、前記少なくとも１つのゴングに関連する選択された備付け設備トランシーバへ渡されて、前記ゴングを、サービスを提供するために前記選択された階に前記かごの１つが接近すると鳴らさせる請求項１２に記載のエレベータシステム。
【請求項１７】
前記階毎に少なくとも１つの方向指示ランプをさらに備えるとともに、前記コントローラトランシーバは、前記階の選択された１つにおける階トランシーバへ宛てられたメッセージを伝送し、そのメッセージは、前記少なくとも１つの方向指示ランプに関連する選択された備付け設備トランシーバへ渡されて、前記ランプを、サービスを提供するために前記選択された階に接近する前記かごの１つの走行方向を指示させる請求項１２に記載のエレベータシステム。
【請求項１８】
前記ランプは、最上階を除き前記エレベータによりサービス提供される各階毎の「上昇」方向指示ランプと、最下階を除き各階毎の「下降」方向指示ランプとから構成される請求項１７に記載のエレベータシステム。
【請求項１９】
前記接続手段は、各ホール備付け設備に関連する低出力備付け設備トランシーバ、および前記階トランシーバに関連する低出力トランシーバを備える請求項１１に記載のエレベータシステム。
【請求項２０】
前記コントローラトランシーバと前記階トランシーバとの間の前記電子メッセージは、スプレッドスペクトルフォーマットの形式である請求項１９に記載のエレベータシステム。
【請求項２１】
前記コントローラトランシーバと各エレベータかご上の第１と第２のトランシーバの１つとの間の前記伝送は、コントローラからかごへの通信を含む請求項１１に記載のエレベータシステム。
【請求項２２】
少なくとも１つの階におけるかご位置指示器と、
前記かご位置指示器を前記高出力電磁式階トランシーバへ接続する手段と、をさらに備える請求項１に記載のエレベータシステム。
【発明の詳細な説明】
【技術分野】
【０００１】
本発明は、エレベータのような、人間と貨物を移動するシステムに関し、そのシステムにおいては、無線電磁伝送が、停止階の乗客に応答しかつ通知するために、各停止階における備付け設備（エレベータのホール備付け設備のような）とコントローラとの間で通信するために使用される。また本発明は、特に、備付け設備間で通信する低出力システム、およびグループコントローラまたはシステムコントローラとの間で通信する高出力システムを使用する二部分型無線システムに関する。
【背景技術】
【０００２】
従来のエレベータシステムグループには、「ライザ」が設けられ、そのライザは、各階毎に、グループコントローラが（最上階を除く）要求を登録したことを指示する附属の灯を有する少なくとも１つの上昇ホール呼び要求ボタンと、グループコントローラが（最下階を除く）要求を登録したことを指示する附属の灯を有する少なくとも１つの下降ホール呼び要求ボタンと、およびかごが到着しようとしていることを可聴指示する少なくとも１つのゴングとを備える。加えて、各階のそれぞれのエレベータ昇降口には１組のランプが付属し、それらのランプは、どのエレベータが到着しようとしているかを識別し、かつどのランプが点灯しているかに応じて、そのエレベータが現在走行中である方向を識別する。最上階と最下階は、1組のランプの１つだけを有する一方、残りの階は、組当り２つのランプを有する。加えてかご位置指示器は、ロビー階のような主な階ではグループにおけるエレベータ毎に設けられて、対応するエレベータかごの現在の階位置を指示する。ここにおいて階位置は、かごの明言できる階（committable floor）（すなわち、かごがたぶん停止する次の階、またはかごが停止している階）に相当するとする。
【０００３】
どれだけの数の個別のプロセッサが利用されているかに関係なく、多エレベータグループには、かご毎にかごコントローラが全体グループ用のグループコントローラとともに採用され、あるいは、かご機能とグループ機能とを提供する分散コントローラを有する。各かごコントローラは、走行ケーブルの手段により対応するエレベータかごと通信し、また種々のかごコントローラは、ケーブルを通してグループコントローラと通信する。ついでグループコントローラが、電線を通して上述のホール備付け設備と通信する。
【０００４】
それぞれが１５〜２５の階を有する幾つかのグループのような大形システムにおいて、必要とする電線の量は莫大になる。改良を達成しようとする場合は何時でも、配線に適合する程度に改良の内容が十分に制限されていないならば、エレベータ配線（これは建物内に埋込まれる）の変更は、非常に難しいことがある。使用中の建物内で改良または新規のエレベータシステムを実現しようとする場合、料金を支払うテナントによるエレベータシステムの部分的な使用が業務の期間中継続し得るように、業務中のエレベータの割込中断を最小とする必要があるため、建物の配線の再配線または再構成するのに必要な時間が禁止されることがある。
【０００５】
同様な問題を伴う同様な装置が、水平移送システムにおいて、および垂直と水平の移送を提供するシステムにおいて見出されることがある。
【発明の開示】
【発明が解決しようとする課題】
【０００６】
エレベータホールにおける備付け設備と集中方式コントローラとの間の通信に付随する問題を克服するために、直接的なポイント・ツー・ポイント通信が提案されている。この可能性のある解決策は、それぞれの備付け設備に、複雑性と同時に、比較的高出力のトランスミッタを有するのを要求するという問題を有しており、コストの増加と使用電力の増加をもたらす。
【課題を解決するための手段】
【０００７】
簡単に述べると、ランプ、ホール呼出しボタンスイッチと灯、ゴングおよび階位置指示器のようなエレベータシステムホール備付け設備は、無線トランシーバを経てコントローラへ接続される。そのコントローラは、システムコントローラ、グループコントローラおよび／またはかごコントローラにできる。低出力無線システムは、１つのホール上の全ての備付け設備を接続し、また高出力無線システムは、それぞれのホールを該当するコントローラに接続する。
【０００８】
エレベータシステムは、水平、垂直または傾斜しているかに関係なく、時分割多元接続（ＴＤＭＡ）プロトコルを使用して配線されたネットワークを経て制御信号を送信し受信する。配線されるネットワークを設置しながらも、要求される時間と出費は、階ホール呼出し備付け設備、ランプ、および階位置指示器間の無線通信方法を使用することにより削減できる。無線備付け設備は、また、作業員が固有の危険な環境の昇降路内で作業しなければならない時間量を削減する。本発明に従う低出力の、無免許スプレッドスペクトル通信システムが、ポイント・ツー・ポイントのＲＦ通信を使用してホール呼出しとランプ指示を含むエレベータ昇降路システム用の全ての制御機能を実行するために、実証されてきた。このポイント・ツー・ポイント通信システムは、１５０メートルまでの範囲において、エレベータ昇降路内の伝搬に対する大規模と小規模のフェージング効果を克服する。
【０００９】
本発明の実施例によれば、建物内の複数の階にサービスを提供するために各昇降路内でかごが移動する複数の昇降路を有する建物内のエレベータシステムは、対応する昇降路の方向に沿うサービスを要求する少なくとも１つのサービス呼出し要求ボタンスイッチ、およびそのサービス呼出し要求ボタンスイッチ毎のサービス呼出し要求ボタン灯を含む各階における複数のホール備付け設備と、各階におけるホール備付け設備のそれぞれを、同一の階上でそれに近接して位置決めされる高出力電磁式階トランシーバへ接続する手段と、各階とコントローラとの間で電磁メッセージを交換するために、階トランシーバそれぞれと機能的に関連する高出力電磁式コントローラトランシーバを有するコントローラと、１つのサービス呼出し要求ボタンの作動を指示するメッセージをコントローラトランシーバへ伝送する階トランシーバと、を備え、そのコントローラトランシーバは、階トランシーバの選択されたものへメッセージを伝送して、その階に対する対応するサービス呼出し要求の登録に応答して、サービス呼出し要求ボタン灯を点灯させ、かつサービスを提供するために関係する階にエレベータかごの１つが接近したことに応答して、その灯を消灯させる。
【発明を実施するための最良の形態】
【００１０】
図１を参照すると、本発明を採用するエレベータシステムは、階Ｆ１〜ＦＮのような複数の停止階にサービスを提供する。この代表的な実施例において、４つのエレベータ昇降路Ｃ１〜Ｃ４があり、階Ｆ１〜ＦＮのそれぞれは、昇降路Ｃ１〜Ｃ４毎に、最下階を除く階毎に下降ランプ１２および最上階を除く階毎に上昇ランプ１３を備える方向ランプの組を有する。最上階ＦＮを除く階それぞれは、付属の呼出し登録灯１８を備えるサービス呼出し要求ボタン１７を有し、それには、ボタン１７を囲む従来の「ハロー」つまりリングが任意選択的に備えられる。ボタン１７を押すと、グループコントローラ２４に、乗客が、関係する階から上方へ移行したいことを通知し、グループコントローラは、その呼出しを登録すると、信号を返信して灯１８を点灯して、呼出しが登録されたことを乗客に通知する。最下階Ｆ１を除く階それぞれは、下降サービス呼出しボタン１９と対応する灯２０を有する。それぞれの停止階において、昇降路Ｃ１〜Ｃ４のいずれかにおけるかごが対応する階に停止しようとするときにゴング２１が鳴らされる。
【００１１】
昇降路Ｃ１〜Ｃ４のそれぞれは、対応するかごコントローラ２３を有し、またそのグループは、グループコントローラ２４により監視される。かごコントローラは、電線ケーブル２５によりグループコントローラ２４と相互接続される。この相互接続は、壁内ではなく空間内において、配線が容易にアクセスできるダクトを通して導かれる機械床上で実施されるので、これは勿論難しくはない。ロビー階のような重要な階において、昇降路Ｃ１〜Ｃ４のそれぞれには、かご位置指示器２６が備えられ、かごが使用されているときは何時でも、対応するかごの明言できる位置を表示する。図２で分かるように従来のエレベータかご２８は、走行ケーブル２９の手段により、そのかごコントローラ２３と通信する。
【００１２】
勿論、かご位置指示器２６用の個別の灯の代わりに、かつ個別の方向ランプ１２、１３の代わりに、最新のエレベータは、かご位置情報と方向情報を含む液晶表示器を効果的に使用することができる。停止階毎に１つだけのゴング２１の代わりに、エレベータロビーの両側に１つずつ設けるか、または昇降路１１毎に１つずつ設けることもできる。ゴングを、ロビーの代わりにかご上に設けることもできるであろう。ゴングは、ランプの一部分を備えることができるであろうし、かつ停止階にサービスランプのいずれかと共に作動して１つの停止階にサービスを提供することができるであろうし、またはランプの各組に関連しかつそれと共に作動できるゴングを設けることができるので、接近するかごの位置が可聴指示される。ゴングは、ベルでもよいし、音声または非口頭音を発生してもよいし、もしくは口頭通知をしてもよい。停止階毎のサービス呼出しボタン１７〜２０の単一の組の代わりに、停止階毎に２組のボタン、エレベータホールの各側に１つあるいは複数のボタンを設けることもできる。
【００１３】
図２に示される本発明の実施例によれば、グループコントローラ２４は、建物の各停止階（各階）において対応するトランシーバ３１のいずれか、またはその全てと通信する電磁式トランシーバ３０を有する。ここで使用される用語「電磁伝送」とは、無線伝送、すなわち固体媒体を使用しない伝送を意味する。同様に、用語「トランスミッタ」、「レシーバ」および「トランシーバ」は、固体媒体無しに伝送を送信し受信する装置を指す。本実施例において、命令に応答して作動できるように、備付け設備は、その設備に付属する電子機器をローカル的に位置決めしていると仮定される。例えば、ボタン１７、１９のいずれかを押すと、関連する停止階のトランシーバ３１から対応する無線伝送が生じて、その階上における上昇呼出しまたは下降呼出しの要求を指示する。同様に、トランシーバ３１の特定の１つへ宛てた、グループコントローラトランシーバ３０からの単一の無線伝送は、そのトランシーバ３１へ、関係するゴング２１を鳴らすように命令できる。かくしてこれらの信号は、個別のものであり、かつ所要の作動を生じさせるために応答する。要求される信号の残りは、ホールボタン灯１８、２０と、ランプ１２、１３と、またはかご位置指示器灯２６のいずれかと、を単に点灯または消灯するためのものである。液晶表示器が個別の灯の代わりに使用される場合には、何時でも、要求される動作は、液晶表示器のテンプレートにおける同一基準の変化を単に生じさせることであることが理解されるべきである。代わりに、無線オーディオまたはビデオ信号、例えば「ＧＯＩＮＧ  ＤＯＷＮ（下降）」を備付け設備へ送信することができるであろう。
【００１４】
さらに理解するために、肉太活字の字体（注：下線で代替表示する）が本発明の無線電磁伝送を示す下記のシーケンスを検討してみる。図１に基づく命令と応答のこのシーケンスは、階トランシーバだけがあると仮定する。
【００１５】
１．Ｆ２において下降ボタンが押された
２．Ｆ２は、グループコントローラ宛てにされた「下降要求Ｆ２」を伝送する
３．グループコントローラは、Ｆ２上の下降呼出し要求を登録する
４．グループコントローラは、Ｆ２宛てにされた「下降ボタン灯を点灯する」を伝送する
５．グループコントローラは、呼出しをかご３に割当てる
６．グループコントローラは、「Ｆ２上で停止」をかご３コントローラへ送信する
７．かご３コントローラは、「委託できる階かご３＝Ｆ２」をグループコントローラへ送信する
８．グループコントローラは、ロビー宛てにされた「かご３位置＝階２を点灯する」を伝送する
９．グループコントローラは、Ｆ２宛てにされた「ゴングを鳴らし、下降ランプかご３を点灯し、下降ボタン灯を消灯する」を伝送する
１０．かご３は、そのドアを開いて停止する
１１．かご３のドアが閉じる
１２．かご３は、かご３コントローラへ「ドア全閉した」を送信する
１３．かご３コントローラは、グループコントローラへ「ドア全閉した、かご３」を送信する
１４．グループコントローラは、Ｆ２宛てにされた「下降ランプを消灯する、かご３」を伝送する
１５．かご３コントローラは、かご操作盤（ＣＯＰ）上でユーザがＦ１を押したことに応答して、「委託できる階かご３＝ロビー」をグループコントローラへ送信する
１６．グループコントローラは、ロビー宛てにされた「かご３位置＝ロビーを点灯する」を伝送する
１７．グループコントローラは、ロビー宛てにされた「ゴングを鳴らし、ランプ、かご３を点灯し、ボタン灯を消灯する」を伝送する
上記において、その回路グループは以下のようであると仮定されることに留意すべきである。すなわち点灯要求がなされるときは何時でも、関係する機器に対応するラッチは、それが入力を有する場合は付随するゲート操作信号が機器を点灯し、入力を有しない場合は、機器を消灯するかまたは消灯したままにさせ、それにより、位置指示器２６の１つの灯またはランプのそれぞれの点灯に、残りの灯の全ての消灯が伴うように、入力を有すると仮定される。勿論、実際の備付け設備を制御するために他のプロトコルを使用できる。
【００１６】
図３を参照すると、本発明の第２の実施例には、対応する昇降路に関連する複数の電磁式トランシーバ２８が備えられ、そのトランシーバは、グループコントローラトランシーバ３０からメッセージを受信して、方向ランプ１２、１３を点灯および消灯する。これにより、階トランシーバ３１とホールランプ１２、１３との間に配線を有する必要性が避けられる。図１および２に関して述べた残りの機能は、本実施例において、階トランシーバ３１により取扱われる。かくして階トランシーバ３１は、サービス呼出し要求を伝送し、および命令を受信して、ゴングを鳴らし、かつ呼出しボタン灯を点灯および消灯することになる。
【００１７】
上述のシーケンスにおいて、手順９、１４および１７は下記の通りに解されるであろう。
【００１８】
９ａ．グループは、Ｆ２宛てにされた「ゴングを鳴らし、下降ボタン灯を消灯する」を伝送する
９ｂ．グループは、かご３、Ｆ２宛てにされた「下降ランプを点灯する」を伝送する
１４ａ．グループは、かご３、Ｆ２宛てにされた「ランプを消灯する」を伝送する
１７ａ．グループは、ロビー宛てにされた「ゴングを鳴らし、ボタン灯を消灯する」を伝送する
１７ｂ．グループは、かご３、ロビー階宛てにされた「ランプを点灯する」を伝送する
図４を参照すると、昇降路トランシーバ２８のそれぞれと通信するグループコントローラトランシーバ３０の代わりに、トランシーバ５０が、かごコントローラ２３毎に各かご上に設けられる。本実施例において、ランプの点灯と消灯は、かごトランシーバ５０からトランシーバ２８への電磁伝送により実施される。本実施例により、グループコントローラ３１は、図３のランプメッセージが対応するかごトランシーバ５０により送信されるので、事象毎に１つのメッセージだけを送信できる。
【００１９】
上述のシーケンスにおいて、手順９、１４および１７は下記の通りに解されるであろう。
【００２０】
９ｃ．グループは、Ｆ２宛てにされた「ゴングを鳴らし、ボタン灯を消灯する」を伝送する
９ｄ．かご３は、かご３、Ｆ２宛てにされた「下降ランプを点灯する」を伝送する
１４ｂ．かご３は、かご３、Ｆ２宛てにされた「ランプを点灯する」を伝送する
１７ａ’．グループは、ロビー宛てにされた「ゴングを鳴らし、ボタン灯を消灯する」を伝送する
１７ｃ．かご３は、かご３、ロビー階宛てにされた「ランプを点灯する」を伝送する
誤り制御コードなどと共に、所要の作動および受信者のアドレスを示すようにメッセージを公式化できる方法は好都合には、ここに参照として組込まれる米国特許第５，８５４，４５４号に説明される方式のものにできる。他方では、ここに参照として組込まれる米国特許第５，５３５，２１２号に説明される、Ｅｃｈｅｌｏｎ  Ｌｏｎ  Ｗｏｒｋｓプロトコルのようなプロトコル、またはここでの目的に役立つ単純化された通信プロトコルを利用できる。
【００２１】
かごコントローラおよびグループコントローラを、個別のプロセッサでそれぞれ実現できるし、ここに参照として組込まれる米国特許第５，２０２，５４０号におけるような分散処理システムにおいて実現できるし、または１つのプロセッサで全てを実現できる。以下に使用されるように、用語「コントローラ」は、上述のもののいずれか、またはそれらの組合せを意味することができる。ランプは、例えば、外側ドアゾーンにおいて点灯し、ドアが閉じはじめると消灯するか、またはその他のように、エレベータ内で該当する場合は他の事象と連係して点灯および消灯できる。
【００２２】
図１〜４に関して述べた実施例は、エレベータかごが一体型のかご室を備えるエレベータを含む。本発明は、ここに参照として組込まれる米国特許第５，８６１，５８６号に開示されるように、かご室が、かごフレーム上に担持され、積込みと積降ろしのために、またはボギー台車上での移送のために、水平にフレームから取出し、ついで再びエレベータかごフレーム上で垂直に移送できるようなエレベータにも使用できる。かご室用の案内路は、エレベータ昇降路、水平軌道など、またはそれらの組合せでもよく、および案内路は、水平と垂直との間のある角度で傾斜できる。したがって、ここで使用される用語「昇降路」は、昇降路と、水平軌道と、またはそれらの組合せと、および水平、垂直、または水平と垂直との間のある角度で傾斜されるかに関係ない案内路とを含む。
【００２３】
図５を参照すると、第１の構造物２９４において複数の階２９０〜２９３が、一対のエレベータ２９５、２９６によりサービスを提供される。構造物２９４は、水平軌道２９９、３００により、構造物２９４から一定距離離れて位置する全く異なる構造物３０１へ接続できる。構造物３０１は、かご室が垂直移送のために搬入されるエレベータ３０２のようなエレベータを備えることもできる。図５においてエレベータ２９５、２９６は、かご室が、エレベータ２９５内で所要の階へ上方へ移動され、ついでエレベータ２９６内で階２９１から下方へ移送される方法で採用されるように具体的に示される。しかしながら、単に代表的に示したものであり、他の方法も採用できる。階２９１に示されるように、かご室は、複数の停止部３０５へサービスを提供でき、それらの停止部の１つへのサービスは、対応するかご室内またはその停止部におけるサービス呼出し要求ボタンを押すことにより要求できる。２９２または２９３のような階に対するサービス呼出しによりエレベータ２９５上にかご室が積込まれる場合、エレベータ２９５は、かご室を、その階上のボギー台車へ移送する前に、その階まで上昇させることができる。同様に１つあるいは複数のかご室を、バスモードで走行させることができ、この場合、それぞれのかごが各階の周りを走行し、ついで次の階まで行き、その階の周りを走行する。種々の水平階における運転のモード、したがってエレベータ間の交換の方式は、本発明に関連がないので、垂直と水平の移送を組合せできる無数の方法がある。
【００２４】
図５の実施例において、方向ランプは、右または左の走行を示す矢印でもよく、もしくはランプは、数字、文字または言葉で行き先を示すことができる。同様に、サービス呼出しボタンは、従来のエレベータシステムのように階で、または水平方向または行き先で識別できる。従来のエレベータシステムにおいては、停止部は、エレベータによりサービスが提供される種々の階であり、一方、水平移送システムにおいては、停止部は、図５の階２９１〜２９３に示されているように、かごが一方向にだけ停止部を通過する一方向停止部にでき、または、かごがいずれの方向でも停止部を通過する二方向停止部にできる。
【００２５】
図３および４の実施例において昇降路トランシーバ２８は、メッセージ肯定応答をそのトランシーバから伝送する必要がないならば、単にレシーバとすることができる。同様に、かごトランシーバ５０は、メッセージ肯定応答をそこで受信する必要がないならば、トランスミッタだけであればよい。
【００２６】
図６を参照すると、１つの実施例によれば、エレベータかご１３２のようなかごが、昇降路１３４のような案内路の内側に示されている。グループコントローラ１３０のようなコントローラが、かご１３２の移動と位置を制御する。リンク１２２が、かご１３２上に取付けられるトランシーバ１１２およびアンテナ１１６、１１８から、各備付け設備１２４へ通信する。第２のリンク１１０が、これらの信号を、かご１３２内の第２のトランシーバ１１３から昇降路頂部アンテナ１２０を経て機械室内のトランシーバ１１４へ通信する。このリンクは、かご１３２とコントローラ１３０との間のかご通信に任意選択的に使用される。昇降路頂部アンテナ１２０は、好ましくは八木アンテナのような高利得アンテナである。トランシーバ１１２、１１３は、任意選択的には、かご頂部アンテナ１１６を共用して、コントローラ１１４への信号を送信および受信する。トランシーバ１１４は、ＩＥＥＥ８０２．１１、ＴＤＭＡまたはスロットされたＡｌｏｐｈａのようなネットワークプロトコルを使用するインターフェース１３８を経てコントローラ１３０へ接続される。全てのリンクは好ましくは、世界的に適用するために２．４ＧＨｚの無免許周波数帯または同様な帯域のものであり、また最高の信頼性を提供するためにスプレッドスペクトル変調を使用する。付加的なオプションには、中間段階誤り是正のためにエレベータかご１３２上で処理を行う能動的中継器を使用すること、エラー減少のためにデータをインターリーブ／インターリーブ解除するエレベータかご１３２上のネットワークルータを使用すること、かご１３２上で能動的非処理中継器を使用すること、隣接する昇降路までレンジを延ばすために各階において双方向増幅器を使用すること、および／または隣接する昇降路まで延ばすために各階においてサブネットワークを使用すること、が含まれる。
【００２７】
別の実施例において備付け設備１２６は、リンク１２８を経て昇降路頂部アンテナ１２０へ直接送信する。いずれの場合も、かご１３２への通信も対応される。備付け設備１２４、１２５は、Ｌｕｘｕｒｙスタイル、または２．４ＧＨｚ無線トランシーバインターフェースを有する他の現行スタイルにできる。試験データは、備付け設備アンテナが昇降路内に突出する必要がないことを示している。備付け設備アンテナのために壁に孔あけする必要は、孔あけにより壁から出た物質を捕集するために、設置中に昇降路内に別の機械工が必要になるので、望ましくない。これは、労務費を増加し、かつ昇降路に機械工を入れるので、無線システムを設置する安全上の利点を幾分無効にする。
【００２８】
別の実施例において、各ホール内の通信、すなわちホール呼出しボタン／指示器、ランプ、ゴング間の通信は、赤外線、ＵＶまたは狭帯域ＲＦのような非常に低出力のシステムでなされる。その低出力システムは、主として見通し（ＬＯＳ）システムである。それぞれの階は、低出力システムとしてホール備付け設備と送受信する主ユニットを有し、その主ユニットは、また、好ましくはスプレッドスペクトルＲＦ無線を使用する高出力システムでもって、主かごコントローラまたはグループコントローラと送受信する。複数の昇降路のバンクは、コントローラ通信のために同一の主ユニットを使用できるであろう。
【００２９】
無線ホール備付け設備の実証試験が、無線システムがエレベータシステムに必要な応答時間に合致できることを示すために実施された。無線システムは、２．４ＧＨｚのＩｎｄｕｓｔｒｉａｌ，Ｓｃｉｅｎｔｉｆｉｃ  ａｎｄ  Ｍｅｄｉｃａｌ（ＩＳＭ）無免許帯域において生じる多重経路伝搬と無線周波数（ＲＦ）干渉の影響も軽減しなければならない。選択されたＲＦチャンネル、搬送周波数および変調技法を実証した無線ハードウエアを使用して、実証システムが、重要なパラメータ（応答時間とビット誤り率）を容易に測定および評価できるように設計された。
【００３０】
この実証試験は、下記の２つの主要な目的を有した。
【００３１】
１）順次作動する無線ハードウエアを有線ハードウエアと比較して、一致を実証すること、および
２）ＲＦチャンネルとプロトコルソフトウエアモデルの工学的実現可能性と立証を判断するのに使用される定量化されたテストデータを提供すること、であった。
【００３２】
無線備付け設備は、昇降路テスト塔の１階と２階におけるエレベータ開口部の右側に、有線備付け設備の側面に沿って設置された。有線システムについては、Ｒｅｍｏｔｅ  Ｓｅｒｉａｌ  Ｌｉｎｋ（ＲＳＬ）インターフェースボード（ＲＳ５）がホール呼出し備付け設備それぞれに埋め込まれた。このＲＳ５インターフェースは、作動コントローラシステムソフトウエアおよびそれぞれの該当するホール呼出し備付け設備との間の通信ルートの割当てをする。このリンクは、時分割多重送信される（ポーリングされる）。
【００３３】
無線システムについては、機械室に位置するベーストランシーバが、既存のＲＳＬ通信リンク上への情報を得るＲＳ５インターフェースボードと直接通信する。遠隔トランシーバが、ホール備付け設備内に配置され、かつボタンおよび指示器とインターフェースをとる。このリンクは、ベースラインシステムと同様に、時分割多重送信される（ポーリングされる）。要約すると、無線リンクは、備付け設備ボタン／指示器およびＲＳ５の間に設けられる電線を、ＲＳＬバスの機械室端部へ再配置されたＲＳ５で置き換えた。本発明の好ましい実施例において、通信は、ＲＳＬリンクをバイパスして、エレベータシステムコントローラと直接なされる。
【００３４】
このエレベータ昇降路は、測定と解析を保証する独自の無線伝搬環境を提供した。ＲＦ信号は、それが昇降路を通して伝搬するにつれて大規模と小規模のフェージングを受ける。小規模のフェージングは、位置の小さい変化により、または波長程度の伝搬路変化における対象物の位置により生じる。大規模のフェージングは、波長よりもはるかに大きい変化がレシーバ位置に発生すると生じる。大規模のフェージングは、経路損失と通常呼ばれる。多重経路伝搬のこの特性は、最終的に通信システムの設計を性能が最適になるように強制する。
【００３５】
典型的なエレベータ昇降路の物理的寸法（約２．５ｍ2）は、２．４ＧＨｚで伝送される信号の波長（１２．５ｃｍ）よりも２０倍大きい。エレベータ昇降路内の大きい表面は、最初の信号の反射を発生し、その反射が結合して多重経路効果を生じる。これらの反射または反響は、一次経路信号と干渉することがある。エレベータ昇降路のインパルス応答の測定は、多重経路の遅延プロファイルの特性を示す。この情報は、帯域幅（データ転送率）およびリンクマージン要件を求めるのに使用される。エレベータ昇降路多重経路は、他の屋内多重経路測定とはそれ程は異ならない。テストから得られたデータは、ＲＭＳ遅延広がりと最大過剰遅延が、他の屋内環境で測定された値の受入れ範囲内であることを示している。この環境において、制約されたＲＦ出力レベルで作動する通信システムは、ある種の多重経路軽減を採用する必要がある。本発明において、本発明の無線電磁伝送は好ましくは、通信システムの信頼性を向上するためにスプレッドスペクトル無線周波数伝送である。代わりに、空間多様性技法が同一の目的に適用される。表１は、通信システムの重要な特性について累積分布プロットの９０−百分位数信頼点を要約したものである。全体的にみて、このデータは、昇降路に生じる小規模のフェージングの程度が、周波数ホッピングスプレッドスペクトル（ＦＨＳＳ）無線を使用する場合に容易に補償されることを示す。また市販のＦＨＳＳ  ＬＡＮハードウエアで得ることができるデータ転送率は、小規模のフェージングにより制限されないであろう。
【００３６】
【表１】
2005501788.tif 000003
【００３７】
大規模のフェージングに対するトランシミッタとレシーバとの間の距離および昇降路内のかご位置の関係も調べられた。干渉と通信路負荷がＡｕｔｏｍａｔｉｃ  Ｒｅｐｅａｔ  Ｒｅｑｕｅｓｔ（ＡＲＱ）プロトコル性能に及ぼした影響を調べる試験も実施された。自由空間における経路損失は、トランシミッタとレシーバとの間の距離の二乗に反比例（１／Ｒ2）して変化する。自由空間は、伝搬経路内またはその近くに対象物が存在しないものと仮定された。一旦、対象物が存在すると、信号により生じる経路損失は、１／Ｒ2よりも大きいことがある。指数、すなわち経路損失指数が増加する量は、対象物のサイズと位置により求められる。文献において、経路損失指数は、建物内の単一の階での伝搬の場合に、占有率に応じて、１．８から３．２の範囲であることを示している。複数階を通しての伝搬は、通過する階の構造と階数に応じて、経路損失指数が５（１／Ｒ5）を超えて増加することを示している。昇降路を通しての伝搬は、階を直接通して伝搬しようとするのとは反対に、多くの階にわたる場合に比較的低い経路損失となろう。
【００３８】
試験昇降路において得られたデータは、一定の昇降路構成について最良の予測変数である経路損失指数を求めようとした理論的性能曲線に一致した。所定の試験毎のデータと、０．０１から４へ変わる傾斜の経路損失曲線との間の平均二乗誤差を計算するプログラムが作成された。この計算は、収集されたデータの幾つかの階にわたるスイープにおいて３６４点毎に実施された。データ解析の結果は、昇降路構成と配置されるアンテナとに応じて使用する必要がある経路損失の幾つかの予測変数があることを示している。すなわち、
１）ポイント・ツー・ポイント方式は、昇降路内のかごの位置に応じて、２から２．４７の間の経路損失指数を生じた。および
２）昇降路の上端からかごへの通信は、１．０８の経路損失指数を生じた。
【００３９】
図７を参照すると、試験された各条件について予想できる平均経路損失が示されている。９５ｄＢｍ信号強度における１ｘ１０-5のビット誤り率（ＢＥＲ）の性能を有する通信システムについて許容できる最大減衰が、世界の種々の区域における最大許容できる実効放射出力（ＥＩＲＰ）について示されている。これらの通信システムは、２．４ＧＨｚ帯域においてスプレッドスペクトル技法を使用していると仮定される。固定されたキャリアシステムについて１つの性能しきい値が示され、許容できるＥＩＲＰを大幅に減少する。最大減衰についての性能しきい値は、リンクマージンをとらないし、かつ平均受信信号強度に基づいている。
【００４０】
試験昇降路において得られた１組のデータに基づく大規模のフェージング結果は、２から２．５の経路損失指数が昇降路を通しての損失を支配することを示している。さらに、１５０ｍの範囲における通信は、許容し得るビット誤り率で可能であろう。
【００４１】
下記の事実は、システム選択に使用される基本原理を要約したものである。無線通信システムの政府規制は、次の２つの範疇に分けられる。すなわち免許と無免許である。無免許操作は、免許申請とスペクトル調整から自由であるので望ましい。無免許操作帯域で操作すると、２つの問題が生じる。第１は無線周波数（ＲＦ）出力制限であり、また第２は干渉である。アンテナから放射できるＲＦ出力量は、実効放射出力（ＥＲＰ）と呼ばれ、無免許システムが他の通信システムにもたらす干渉を最小にするように制約される。
【００４２】
干渉は、法規制がこれらの帯域における干渉からの防護を提供しないので、無免許システムにより避けるか、またはできるだけ最も良く対処しなければならない。最大ＥＲＰおよび干渉に対する抵抗は、無免許帯域におけるスプレッドスペクトル変調方法を利用して達成される。世界中を通しての無免許通信システムの法規制は、適切に調整されていない。３つの区域で利用できるスペクトルの唯一の一致した部分は、２．４ＧＨｚのＩｎｄｕｓｔｒｉａｌ，Ｓｃｉｅｎｔｉｆｉｃ  ａｎｄ  Ｍｅｄｉｃａｌ（ＩＳＭ）帯域にある。許容されるＥＲＰは、１０ｍＷから最大４Ｗまでである。
【００４３】
試験昇降路における伝搬特性、ＲＭＳ遅延スプレッドおよびコヒーレンス帯域の測定は、５Ｍｂ／ｓの最大データ転送率が対応可能であることを示している。８ｍ／ｓのエレベータ速度は、２．４ＧＨｚ帯域において約６マイクロ秒の昇降路内のコヒーレンス時間を生じる。５マイクロ秒のパケット時間は、単一のパケット送信内での通信路変動を最小にするであろう。
【００４４】
伝搬測定値も、かご移動のために、ホール備付け設備により生じる小規模のフェージングが２０ｄＢにもなることがあるのを示している。通信システムは、少なくとも２０ｄＢのリンクマージンを有するものとし、フェージング（周波数ホッピング）に対抗するために信号送信フォーマットを採用し、および／または小規模のフェージングによるデータ内の誤りを是正するべきであろう。小規模のフェージングは、周波数選択フェージングとも呼ばれ、狭帯域フェージングを生成するので、無線により受信される信号雑音比を減少する。この狭帯域フェージングは、狭帯域妨害信号と同一の影響を有する。妨害に対するスプレッドスペクトル変調の有効性は、システム妨害マージンにより測定される。このシステムの妨害マージンは、９ｄＢである。スプレッドスペクトルシステムのリンクマージンを、妨害マージンの量により、必要なリンクマージンを減少することまで減少できる。
【００４５】
自由空間におけるＲＦ信号の減衰対距離は、距離の二乗の逆数として変化する。試験昇降路は、自由空間よりも僅かに劣る性能を示した。トランスミッタとレシーバとの間の減衰を、これらの結果を使用して近似できる。２５０ｋｂ／ｓで作動する４ノード無線通信システムの性能は、平均エレベータについては予測されるものの８倍のメッセージ発生率を対処できた。無線通信システムは、衝突検知多重アクセス（ＣＳＭＡ）プロトコルを利用した。そのプロトコルは、ホール備付け設備との間の非同期の低いメッセージ往来速度により、エレベータシステムにとり最も好適である。この特定のＣＳＭＡプロトコルは、実効ビット誤り率（ＢＥＲ）を改善するために、受信されたメッセージの肯定応答と、誤りを有するメッセージの再送信と、も含んでいた。この実証システムのＢＥＲは、再送信なしに３ｘ１０-4の誤り率の程度であることが分かった。低い誤り率が、同一の環境における再送信の種々のレベルで生じた。使用されたＣＳＭＡプロトコルは、４ノードで発生されるであろう最も重い負荷条件の下で一方向に１００ミリ秒の待ち時間要件も満たした。
【００４６】
試験中に得られた結果の範囲内で、かつ世界的な通信規制の一部の重要な区域内で作動する通信システムの一例が、表２に示される。
【００４７】
【表２】
2005501788.tif 000004
【００４８】
システム選択それぞれについての基本原理は、政府規制または試験結果に基づいている。システム特性それぞれについての基本原理がここで述べられる。周波数帯域は、世界の３区域全てで利用できるし、またスプレッドスペクトルと最大ＥＲＰを実現できる。周波数ホッピングは、多重経路効果と干渉に対して有効な抵抗を提供し、かつこの時点における直接シーケンススプレッドスペクトル（ＤＳＳＳ）よりも出力効率がよい。データ転送率は、過剰な通信路帯域幅を使用しないながら待ち時間と処理量についてのシステム性能要件に一致し、かつ昇降路伝搬測定値により決められる範囲内に入る。ＥＲＰは、世界の３区域全てで有用である最大レベルであり、かつ電池出力または他の低容量出力の供給源にとり妥当な出力レベルである。パケット長さは、昇降路伝搬測定値により示される範囲内に入る。最大範囲を、下記のパラメータを変更することにより改善できる。
【００４９】
ａ）感度を向上するためにデータ転送率（通信路帯域幅）を減少すること、
ｂ）感度を向上するためにレシーバノイズ指数を減少すること、
ｃ）ＥＲＰを増加すること、
ｄ）受信された信号強度を向上するためにレシーバアンテナ利得を増加すること、
ｅ）一定の信号対雑音比においてＢＥＲを向上するために再送信または符号化によりデータ誤り是正を規定すること、および
ｆ）低リンクマージンで作動させる多重経路の影響を減少するために大きい妨害マージンを有するスプレッドスペクトル技法を採用することである。
【００５０】
この通信システムにより達成される最大範囲が、図８にプロットされる。ポイント・ツー・ポイント通信システムにより、１９０ｍの範囲を達成できる。リンクマージン、レシーバアンテナ利得、ＥＲＰおよび妨害マージンの影響が、プロットで示される。故意でない妨害機器（電子レンジ、他の２．４ＧＨｚ周波数ホッパ）に対する効果的な不感受性が、基地局アンテナの方向性パターンにより実現される。
【００５１】
本発明を、特定の好ましい実施例および添付図面を参照して説明してきたが、本発明はその好ましい実施例に限定されないこと、およびその実施例に対する種々の変更態様などは、特許請求の範囲の請求項に明示される本発明の範囲から逸脱することなく実施できることは、当該技術に有能な者にとり理解される。
【図面の簡単な説明】
【００５２】
【図１】本発明の第１の実施例を組込むエレベータシステムの単純化およびスタイル化された正面図である。
【図２】図１のシステムの単純化およびスタイル化された断面側面図である。
【図３】本発明の第２の実施例を組込むエレベータシステムの単純化およびスタイル化された正面図である。
【図４】本発明の第３の実施例を組込むエレベータシステムの単純化およびスタイル化された正面図である。
【図５】上で走行するかご室を有する複数の水平階の部分的に切欠いた単純化された透視図であり、その階は、かご室を垂直方向に動かすエレベータシャトルにより相互に接続される。
【図６】本発明の実施例を示す、エレベータ昇降路の単純化およびスタイル化された断面図である。
【図７】エレベータ昇降路経路損失および２．４ＧＨｚ帯域最大許容経路損失についての試験結果を示すグラフである。
【図８】エレベータ昇降路における減衰対範囲についての試験結果を示すグラフである。
【図１】
2005501788.tif 000005
【図２】
2005501788.tif 000006
【図３】
2005501788.tif 000007
【図４】
2005501788.tif 000008
【図５】
2005501788.tif 000009
【図６】
2005501788.tif 000010
【図７】
2005501788.tif 000011
【図８】
2005501788.tif 000012
【国際公開パンフレット】
2005501788.tif 000013
2005501788.tif 000014
2005501788.tif 000015
2005501788.tif 000016
2005501788.tif 000017
2005501788.tif 000018
2005501788.tif 000019
2005501788.tif 000020
2005501788.tif 000021
2005501788.tif 000022
2005501788.tif 000023
2005501788.tif 000024
2005501788.tif 000025
2005501788.tif 000026
2005501788.tif 000027
2005501788.tif 000028
2005501788.tif 000029
2005501788.tif 000030
2005501788.tif 000031
2005501788.tif 000032
2005501788.tif 000033
2005501788.tif 000034
2005501788.tif 000035
2005501788.tif 000036
2005501788.tif 000037
2005501788.tif 000038
2005501788.tif 000039
2005501788.tif 000040
2005501788.tif 000041
2005501788.tif 000042
2005501788.tif 000043
【手続補正書】
【提出日】平成15年6月12日(2003.6.12)
【手続補正１】
【補正対象書類名】特許請求の範囲
【補正対象項目名】全文
【補正方法】変更
【補正の内容】
【特許請求の範囲】
【請求項１１】
それぞれの昇降路が建物内の複数の階へサービスを提供するために中で移動するエレベータかごを有する複数の昇降路を備える建物内のエレベータシステムであって、
対応する方向に前記昇降路に沿ってサービスを要求する少なくとも１つのサービス呼出し要求ボタンスイッチ（１９）と、および前記サービス呼出し要求ボタンスイッチ毎のサービス呼出し要求ボタン灯（２０）と、を含む、各階における複数のホール備付け設備と、
各階における前記ホール備付け設備のそれぞれを、同一の階または隣接する階に近接して配置された高出力電磁式階トランシーバ（３１）へ接続する接続手段と、
各階との間で電磁メッセージを交換するために、前記階トランシーバ（３１）それぞれと機能的に関連する高出力電磁式コントローラトランシーバ（３０）を有するコントローラ（２４）と、
を備え、
前記階トランシーバ（３１）は、前記サービス呼出し要求ボタン（１９）の１つの作動を示すメッセージを前記コントローラトランシーバへ伝送し、前記コントローラトランシーバ（３０）は、前記階トランシーバ（３１）の選択されたものへメッセージを伝送して、サービス呼出し要求ボタン灯（２０）を、その階用の対応するサービス呼出し要求の登録に応答して点灯させ、かつ、サービスを提供するために関係する階に接近する前記エレベータかごの１つに応答して消灯させる、エレベータシステムにおいて、
各エレベータかご（１３２）上に第１のトランシーバ（１１２）および第２のトランシーバ（１１３）を備えるとともに、前記コントローラトランシーバ（３０）は、各階との間で電磁情報を交換するために前記階トランシーバ（３１）のそれぞれと機能的に関連し、また前記コントローラは、各エレベータかご（１３２）上の第１のトランシーバ（１１２）および第２のトランシーバ（１１３）を経て機能的に関連するエレベータシステム。
【請求項１２】
各階にある備付け設備は、前記昇降路毎に、最上階を除き各階に上昇方向ホールランプ、および最下階を除き各階に下降方向ホールランプを有する１組の１つもしくは複数のホールランプ（１２）を備え、
前記コントローラトランシーバ（３０）は、選択された階のトランシーバ（３１）へ宛てられたメッセージを伝送して、サービスを提供するために前記選択された階に接近する前記エレベータかごの１つに応答して前記ランプ（１２）の対応する１つを点灯させ、かつ、選択された階のトランシーバへメッセージを伝送して、前記選択された階において停止される対応するエレベータかごのドアの閉止に応答して対応するランプを消灯する請求項１１に記載のエレベータシステム。
【請求項１３】
前記コントローラはグループコントローラ（２４）である請求項１２に記載のエレベータシステム。
【請求項１４】
前記コントローラは、前記階トランシーバ（３１）と通信するトランシーバ（３０）を有するグループコントローラ部分と、それぞれのかごコントローラ部分が、前記備付け設備トランシーバ（２８）の対応するものと通信するトランシーバ（５０）を有する複数のかごコントローラ部分と、から構成される請求項１３に記載のエレベータシステム。
【請求項１５】
階毎に少なくとも１つのゴング（２１）をさらに備えるとともに、前記コントローラトランシーバ（３０）は、前記階の選択された１つの前記階トランシーバ（３１）へ宛てられたメッセージを伝送し、そのメッセージは、前記少なくとも１つのゴングに関連する選択された備付け設備トランシーバ（２８）へ渡されて、前記ゴングを、サービスを提供するために前記選択された階に前記かごの１つが接近すると鳴らさせる請求項１４に記載のエレベータシステム。
【請求項１６】
階毎に少なくとも１つのゴング（２１）をさらに備えるとともに、前記コントローラトランシーバ（３０）は、前記階の選択された１つの前記階トランシーバ（３１）へ宛てられたメッセージを伝送し、そのメッセージは、前記少なくとも１つのゴングに関連する選択された備付け設備トランシーバ（２８）へ渡されて、前記ゴングを、サービスを提供するために前記選択された階に前記かごの１つが接近すると鳴らさせる請求項１２に記載のエレベータシステム。
【請求項１７】
前記階毎に少なくとも１つの方向指示ランプ（１２）をさらに備えるとともに、前記コントローラトランシーバ（３０）は、前記階の選択された１つにおける階トランシーバ（３１）へ宛てられたメッセージを伝送し、そのメッセージは、前記少なくとも１つの方向指示ランプ（１２）に関連する選択された備付け設備トランシーバ（２８）へ渡されて、前記ランプを、サービスを提供するために前記選択された階に接近する前記かごの１つの走行方向を指示させる請求項１２に記載のエレベータシステム。
【請求項１８】
前記ランプ（１２）は、最上階を除き前記エレベータによりサービス提供される各階毎の「上昇」方向指示ランプと、最下階を除き各階毎の「下降」方向指示ランプとから構成される請求項１７に記載のエレベータシステム。
【請求項１９】
前記接続手段は、各ホール備付け設備（１２，２１）に関連する低出力備付け設備トランシーバ（２８）、および前記階トランシーバ（３１）に関連する低出力トランシーバを備える請求項１１に記載のエレベータシステム。
【請求項２０】
前記コントローラトランシーバ（３０）と前記階トランシーバ（３１）との間の前記電子メッセージは、スプレッドスペクトルフォーマットの形式である請求項１９に記載のエレベータシステム。
【請求項２１】
前記コントローラトランシーバ（３０）と各エレベータかご上の第１のトランシーバ（１１２）および第２のトランシーバ（１１３）の１つとの間の前記伝送は、コントローラからかごへの通信を含む請求項１１に記載のエレベータシステム。
【国際調査報告】
2005501788.tif 000044
2005501788.tif 000045
2005501788.tif 000046